(57)【要約】【課題】脚部材の開状態を２重ロックできるとともに、手動で行うことにより、脚部材の倒伏作業時における、２重ロックの解除もれを抑制できるテーブル及びそれに用いるロック部材を提供する。【解決手段】  第１ストッパ部材２０と第２ストッパ部材３０により連結部材１４を挟持し、第２ストッパ部材３０を、第１位置に位置させた場合において、第１ロック手段による脚部材２の起立状態のロック及びその解除を行うことができ、第１ロック部により脚部材２の起立状態をロックした状態において、第２ストッパ部材３０を、第１の位置から第２の位置に移動させることができ、第２ストッパ部材３０が第２位置に位置した状態において、第１ロック部による脚部材２の起立状態がロックされた状態の解除を抑制するようにした。【選択図】  図６
2020137904.tif 000002
【特許請求の範囲】
【請求項１】
天板と、回転軸の軸芯を中心として前記天板に対して起倒可能に設けた２個の脚部材を有し、
夫々の脚部材は、前記回転軸の軸芯方向の両端部に設けた一対の脚柱を有し、
前記脚部材の移動とともに移動し、かつ、前記回転軸の軸芯と平行に設けた連結部材を設け、前記脚部材の起立状態をロックすることができる第１ロック部を有するテーブルにおいて、
前記連結部材に対して取り外し可能に固定された第１ストッパ部材と、前記連結部材の軸芯方向に摺動可能で、かつ、取り外し可能な第２ストッパ部材を設け、
前記第１ストッパ部材と第２ストッパ部材により前記連結部材を挟持し、
前記第２ストッパ部材を、前記連結部材の軸芯方向における内側の第１の位置に位置させた場合において、前記第１ロック部による前記脚部材の起立状態のロック及びその解除を行うことができ、
前記第１ロック部により前記脚部材の起立状態をロックした状態において、前記第２ストッパ部材を、前記第１の位置から、該第１の位置より前記連結部材の軸芯方向における外側に位置する第２の位置に移動させることができ、前記第２ストッパ部材が前記第２の位置に位置した状態において、第１ロック部による前記脚部材の起立状態がロックされた状態の解除を抑制するようにしたことを特徴とするテーブル。
【請求項２】
前記第２ストッパ部材が前記第２の位置に位置した状態において、第１ストッパ部材に設けた第１抜け止め部は、前記連結部材と前記第２ストッパ部材に設けた第２抜け止め部と係合するとともに、前記第１抜け止め部は第２ストッパ部の本体部と前記第２抜け止め部との間に位置するようにしたことを特徴とする請求項１記載のテーブル。
【請求項３】
前記天板における前記回転軸の軸芯方向の両端部に、夫々第１ロック部を設け、前記第１ロック部は第１ステー部材と第２ステー部材を有し、この第１ステー部材と第２ステー部材を相互に回転可能に連結し、前記第１ステー部材と第２ステー部材を直線状に配設した際に、前記脚部材の起立状態がロックされるようにし、前記脚部材の両側部に配設した第１ステー部材間に前記連結部材を架設したことを特徴とする請求項１又は２記載のテーブル。
【請求項４】
前記天板における前記回転軸の軸芯方向の両端部に、夫々、直線状の案内溝が形成された板状の脚保持部材を設け、前記案内溝と連通する係合部を形成し、前記案内溝内に、前記脚柱に設けた係合ピンを挿通し、前記係合部内に前記係合ピンを位置させることにより、脚部材の起立状態をロックするようにし、
前記脚部材の両側部に配設した脚保持部材間に前記連結部材を架設したことを特徴とする請求項１又は２記載のテーブル。
【請求項５】
前記第１ストッパ部材に腕部を設け、該腕部の先部に係合部を設け、
前記第２ストッパ部材に前記係合部と係合する第１被係合部と第２被係合部を設け、
前記係合部と前記第１被係合部が係合することで、第２ストッパ部材を前記第１の位置に保持し、
前記係合部と前記第２被係合部が係合することで、第２ストッパ部材を前記第２の位置に保持するようにしたことを特徴とする請求項１乃至４の何れか１項に記載のテーブル。
【請求項６】
前記第１ストッパ部材と第２ストッパ部材は、樹脂で形成されていることを特徴とする請求項１乃至５の何れか１項に記載のテーブル。
【請求項７】
天板と、回転軸の軸芯を中心として前記天板に対して起倒可能に設けた２個の脚部材を有し、
夫々の脚部材は、前記回転軸の軸芯方向の両端部に設けた一対の脚柱を有し、
前記脚部材の移動とともに移動し、かつ、前記回転軸の軸芯と平行に設けた連結部材を設け、前記脚部材の起立状態をロックすることができる第１ロック部を有するテーブルに用いるロック部材において、
前記連結部材に対して取り外し可能に固定された第１ストッパ部材と、前記連結部材の軸芯方向に摺動可能で、かつ、取り外し可能な第２ストッパ部材を有し、
前記第１ストッパ部材と第２ストッパ部材により前記連結部材を挟持し、
前記第２ストッパ部材を、前記連結部材の軸芯方向における内側の第１の位置に位置させた場合において、前記第１ロック部による前記脚部材の起立状態をロック及びその解除を行うことができ、
前記第１ロック部により前記脚部材の起立状態をロックした状態において、前記第２ストッパ部材を、前記第１の位置から、該第１の位置より前記連結部材の軸芯方向における外側に位置する第２の位置に移動させることができ、前記第２ストッパ部材が前記第２の位置に位置した状態において、第１ロック部による前記脚部材の起立状態がロックされた状態の解除を抑制するようにしたことを特徴とするロック部材。
【発明の詳細な説明】
【技術分野】
【０００１】
本発明は、テーブルおよびそれに用いるロック部材に関するものである。
【背景技術】
【０００２】
従来、天板に対して起倒可能に設けられた脚を有するテーブル、いわゆる脚折れテーブルは、脚の起立状態でのテーブルの使用中に、脚が倒伏しないように、その起立状態をロックできるロック部が設けられている。
【０００３】
例えば、脚を倒伏状態から起立状態にする際に、天板の下部と脚の上部との間に設けたロック部が自重で回動して、自動的に脚の起立状態がロックされるテーブルが提案されている（例えば、特許文献１参照）。
【先行技術文献】
【特許文献】
【０００４】
【特許文献１】特許第４４９８４５９号公報
【発明の概要】
【発明が解決しようとする課題】
【０００５】
脚折れテーブルは、会議等において用いられることから、不特定多数の人が使用するため、使用者が、ロック手段により自動的に脚の起立状態がロックされていることを知らずに、正規の手順でロック手段を解除することなく、脚を倒伏しようとして、テーブルを破損させるおそれがある。
【０００６】
そこで、本発明は、上記問題点を解決するテーブルおよびそれに用いるロック部材を提供することを目的とするものである。
【課題を解決するための手段】
【０００７】
前記の課題を解決するために、請求項１記載の発明は、天板と、回転軸の軸芯を中心として前記天板に対して起倒可能に設けた２個の脚部材を有し、
夫々の脚部材は、前記回転軸の軸芯方向の両端部に設けた一対の脚柱を有し、
前記脚部材の移動とともに移動し、かつ、前記回転軸の軸芯と平行に設けた連結部材を設け、前記脚部材の起立状態をロックすることができる第１ロック部を有するテーブルにおいて、
前記連結部材に対して取り外し可能に固定された第１ストッパ部材と、前記連結部材の軸芯方向に摺動可能で、かつ、取り外し可能な第２ストッパ部材を設け、
前記第１ストッパ部材と第２ストッパ部材により前記連結部材を挟持し、
前記第２ストッパ部材を、前記連結部材の軸芯方向における内側の第１の位置に位置させた場合において、前記第１ロック部による前記脚部材の起立状態のロック及びその解除を行うことができ、
前記第１ロック部により前記脚部材の起立状態をロックした状態において、前記第２ストッパ部材を、前記第１の位置から、該第１の位置より前記連結部材の軸芯方向における外側に位置する第２の位置に移動させることができ、前記第２ストッパ部材が前記第２位置に位置した状態において、第１ロック部による前記脚部材の起立状態がロックされた状態の解除を抑制するようにしたことを特徴とするテーブルである。
【０００８】
請求項２記載の発明は、請求項１記載のテーブルにおいて、前記第２ストッパ部材が前記第２の位置に位置した状態において、第１ストッパ部材に設けた第１抜け止め部は、前記連結部材と前記第２ストッパ部材に設けた第２抜け止め部と係合するとともに、前記第１抜け止め部は第２ストッパ部の本体部と前記第２抜け止め部との間に位置するようにしたことを特徴とするものである。
【０００９】
請求項３記載の発明は、請求項１又は２記載のテーブルにおいて、前記天板における前記回転軸の軸芯方向の両端部に、夫々第１ロック部を設け、前記第１ロック部は第１ステー部材と第２ステー部材を有し、この第１ステー部材と第２ステー部材を相互に回転可能に連結し、前記第１ステー部材と第２ステー部材を直線状に配設した際に、前記脚部材の起立状態がロックされるようにし、前記脚部材の両側部に配設した第１ステー部材間に前記連結部材を架設したことを特徴とするものである。
【００１０】
請求項４記載の発明は、請求項１又は２記載のテーブルにおいて、前記天板における前記回転軸の軸芯方向の両端部に、夫々、直線状の案内溝が形成された板状の脚保持部材を設け、前記案内溝と連通する係合部を形成し、前記案内溝内に、前記脚柱に設けた係合ピンを挿通し、前記係合部内に前記係合ピンを位置させることにより、脚部材の起立状態をロックするようにし、
前記脚部材の両側部に配設した脚保持部材間に前記連結部材を架設したことを特徴とするものである。
【００１１】
請求項５記載の発明は、請求項１乃至４の何れか１項のテーブルにおいて、前記第１ストッパ部材に腕部を設け、該腕部の先部に係合部を設け、
前記第２ストッパ部材に前記係合部が係合する第１被係合部と第２被係合部を設け、
前記係合部と前記第１被係合部が係合することで、第２ストッパ部材を前記第１の位置に保持し、
前記係合部と前記第２被係合部が係合することで、第２ストッパ部材を前記第２の位置に保持するようにしたことを特徴とするものである。
【００１２】
請求項６記載の発明は、請求項１乃至５の何れか１項のテーブルにおいて、前記第１ストッパ部材と第２ストッパ部材は、樹脂で形成されていることを特徴とするものである。
【００１３】
請求項７記載の発明は、天板と、回転軸の軸芯を中心として前記天板に対して起倒可能に設けた２個の脚部材を有し、
夫々の脚部材は、前記回転軸の軸芯方向の両端部に設けた一対の脚柱を有し、
前記脚部材の移動とともに移動し、かつ、前記回転軸の軸芯と平行に設けた連結部材を設け、前記脚部材の起立状態をロックすることができる第１ロック部を有するテーブルに用いるロック部材において、
前記連結部材に対して取り外し可能に固定された第１ストッパ部材と、前記連結部材の軸芯方向に摺動可能で、かつ、取り外し可能な第２ストッパ部材を有し、
前記第１ストッパ部材と第２ストッパ部材により前記連結部材を挟持し、
前記第２ストッパ部材を、前記連結部材の軸芯方向における内側の第１の位置に位置させた場合において、前記第１ロック部による前記脚部材の起立状態をロック及びその解除を行うことができ、
前記第１ロック部により前記脚部材の起立状態をロックした状態において、前記第２ストッパ部材を、前記第１の位置から、該第１の位置より前記連結部材の軸芯方向における外側に位置する第２の位置に移動させることができ、前記第２ストッパ部材が前記第２の位置に位置した状態において、第１ロック部による前記脚部材の起立状態がロックされた状態の解除を抑制するようにしたことを特徴とするロック部材である。
【発明の効果】
【００１４】
本発明のテーブルは、第１ロック手段による脚部材の起立状態をロックした後に、第２ストッパ部材を、第１の位置から、第１の位置より連結部材の軸芯方向における外側に位置する第２の位置に移動させて２重ロックをかけるようにしたことにより、脚部材が完全に起立しない状態でテーブルの使用を抑制することができる。
【００１５】
手動により第２ストッパ部材を移動させて、２重ロックをするようにしたことにより、脚部材を倒伏作業時において、第２ストッパ部材の移動もれを抑制し、テーブルの破損を抑制できる。
【００１６】
また、本発明のロック部材を、既存のテーブルに取付けることにより、上記発明の効果を有するテーブルとすることができる。
【図面の簡単な説明】
【００１７】
【図１】本発明の実施例１に係るテーブルにおいて、脚部材を天板に対して倒伏した状態の斜視図。
【図２】図１の状態から脚部材を起立させた状態の斜視図。
【図３】図１の要部拡大斜視図。
【図４】図１の状態から脚部材を起立させるとともに、第２ストッパ部材が第１の位置に位置した状態の要部拡大斜視図。
【図５】図４の下側から見た斜視図。
【図６】図４の状態から、第２ストッパ部材を第２の位置に移動させた状態の要部拡大斜視図。
【図７】図６の下側から見た斜視図。
【図８】本発明の実施例１に用いる第１ストッパ部材の斜視図。
【図９】図８の下側から見た斜視図。
【図１０】図９と異なる方向からみた斜視図。
【図１１】図８の上面図。
【図１２】図１１のＡ−Ａ線断面図。
【図１３】本発明の実施例１に用いる第２ストッパ部材の斜視図。
【図１４】図１３の下側から見た斜視図。
【図１５】図１４と異なる方向からみた斜視図。
【図１６】本発明の実施例２に係るテーブルにおいて、脚部材を天板に対して倒伏した状態の斜視図。
【図１７】図１６の状態から脚部材を起立させた状態の斜視図。
【図１８】図１６の要部拡大斜視図。
【図１９】図１８において下方の内側から見た斜視図。
【図２０】図１６の状態から脚部材を起立させるとともに、第２ストッパ部材が第１の位置の位置した状態の要部拡大斜視図。
【図２１】図１８から天板を除いた状態で上方の内側から見た斜視図。
【図２２】図１８の状態から、第２ストッパ部材を第２の位置に移動させた状態の斜視図。
【図２３】図２２から天板を除いた状態で上方の内側から見た斜視図。
【図２４】本発明の実施例２に用いる第１ストッパ部材の斜視図。
【図２５】図２４の異なる側から見た斜視図。
【図２６】図２４を下側からみた斜視図。
【図２７】本発明の実施例２に用いる第２ストッパ部材の斜視図。
【図２８】図２７と異なる方向からみた斜視図。
【図２９】図２７の下側から見た斜視図。
【発明を実施するための形態】
【００１８】
本発明を実施するための形態を図に示す実施例に基づいて説明する。
【００１９】
［実施例１］
図１は、本発明の実施例１に係るテーブル１において、脚部材２を天板３に対して倒伏した状態の天板３の裏面側から見た斜視図、図２は、その脚部材２を天板３に対して起立させた状態の斜視図である。
【００２０】
テーブル１は、上面形状が長方形状の天板３を有し、天板３における下面の短手方向（Ｙ−Ｙ方向）の両端部には、図１に示すように、支持金具５，５が天板３の長手方向（Ｘ−Ｘ方向）の略全体に亘って固設されている。
【００２１】
支持金具５，５の長手方向（Ｘ−Ｘ方向）の両端部には、図１，図２に示すように、夫々、脚部材２，２が、天板３の短手方向（Ｙ−Ｙ方向）に設けた回転軸７を中心として回動可能に設けられている。すなわち、一対の脚部材２，２が、相互に対向し、かつ、天板３に対して起倒可能に設けられている。夫々の脚部材２は、その回転軸７の軸芯方向、すなわち、天板３における短手方向（Ｙ−Ｙ方向）の両端部（以下、両側部という）に、円柱状若しくは角柱状の脚柱８，８を設け、脚柱８，８の長手方向の一方の端部は回転軸７に回転可能に連結され、その長手方向の他方側には、脚柱８，８間を連結する連結桟９が架設されている。
【００２２】
各脚部材２の両側部には、夫々、横断面がコ字状で、かつ、天板３の表面とは反対側方向に開口するとともに、長手形状に形成された第１ステー部材１０が一対設けられている。
【００２３】
第１ステー部材１０は、その長手方向の一端部が、支持金具５に対して、回転軸７と平行に設けた回転軸５ａを中心として回転可能に連結され、第１ステー部材１０の長手方向の他方側は、断面コ字状の第１ステー部材１０の内側に配置された第２ステー部材１１の長手方向の他端部に対して、回転軸７と平行に設けた回転軸１３を中心として回転可能に連結されている。また、第２ステー部材１１の長手方向の他端部が、脚柱８に対して、回転軸７と平行に設けた回転軸８ａを中心として回転可能に連結されている。
【００２４】
脚部材２の両側部に配設された第１ステー部材１０と１０の間には、円筒状の連結部材１４が架設されている。
【００２５】
第１ステー部材１０を、回転軸１３を中心として第２ステー部材１１に対して倒伏させることにより、脚部材２が、回転軸７を中心として回動し、天板３に対して倒伏（折れ曲げ）させることができようになっている。また、第１ステー部材１０を、第２ステー部材１１に対して直線状となるように伸ばすことにより、脚部材２が、回転軸７を中心として回動し、天板３に対して起立させることができるようになっている。また、脚部材２の回転軸７を中心として回動する際に、連結部材１４も共に移動するようになっている。
【００２６】
また、第１ステー部材１０と第２ステー部材１１が、図１に示すように、一直線状となるように、脚部材２を起立させると、第２ステー部材１１の一端部が、第１ステー部材１０の内部に対して係合して、脚部材２の起立状態をロックする、すなわち、起立状態を保持することができるようになっている。また、第１ステー部材１０と第２ステー部材１１の相互の係合を解除することにより、脚部材２の起立状態のロックを解除することができるようになっている。第１ステー部材１０と第２ステー部材１１と回転軸１３で第１ロック部１５を構成する。
【００２７】
連結部材１４には、図３〜図７に示すように、樹脂で形成された第１ストッパ部材２０が取り外し可能に固設されている。
【００２８】
第１ストッパ部材２０は、図８〜図１２に示すように、本体部２０ａを有し、本体部２０ａには連結部材１４に対してスナップフィットにより取り外し可能に固定する一対の第１取付部２１，２１が形成され、第１取付部２１，２１間は、連結部材１４を弾力的に挟持できるように離間して設けられている。第１取付部２１，２１間は、その配設方向、すなわち、取付けられる連結部材１４の長手方向の両端部が開口するとともに、連結部材１４が挿入できるように、本体部２０ａと反対側が開口する開口部２２が形成されている。
【００２９】
本体部２０ａにおける第１取付部２１の配設方向の一方側には、図８〜図１０に示すように、第２ステー部材１１に対して取外し可能に係合する第２取付部２３が設けられている。第２取付部２３は、第１取付部２１の配設方向と直交する方向の両端部が開口するとともに、第１取付部２１，２１間の開口部２２と同じ側に開口する開口部２５が形成され、第２取付部２３に第２ステー部材１１を取付けできるようになっている。第１取付部２１，２１間の開口部２２と第２取付部２３の開口部２５はＴ字状に連通している。
【００３０】
本体部２０ａにおける第１取付部２１の配設方向の他方側には、図８〜図１０に示すように、第１取付部２１の配設方向と直交する方向で、かつ、第１取付部２１，２１の外側に位置するように一対の長手状の腕部材２６，２６が、第１取付部２１の配設方向と平行となるように設けられている。各腕部材２６は、その先部が、第１取付部２１の配設方向と直交する方向に変形できるとともに、第１取付部２１の配設方向と略平行となるような復元力を有する弾性材料で板状に形成されている。
【００３１】
一対の腕部材２６，２６には、図１１に示すように、その外側方向に突出する係合部２７，２７が形成されている。夫々の係合部２７における第２取付部２３側の第１面２７ａは、腕部材２６の側面に対して直交若しくは、腕部材２６から外側に向かうほど第２取付部２３側に位置するように形成されている。また、係合部２７の腕部材２６の先部側の第２面２７ｂは、腕部材２６から外側に向かうほど第２取付部２３側に向かうテーパ状に形成されている。
【００３２】
本体部２０ａの両側部には、第１抜け止め部２９が固設されている。
【００３３】
連結部材１４には、樹脂で形成された第２ストッパ部材３０が、その長手方向に摺動可能で、かつ、取り外し可能に設けられている。
【００３４】
第２ストッパ部材３０は、図４〜図７に示すように、第１ストッパ部材２０の第１取付部２１，２１による連結部材１４に対する取付方向と反対側から、連結部材１４に対して取付けるようになっている。すなわち、連結部材１４を、第１ストッパ部材２０と第２ストッパ部材３０により挟持するようになっている。
【００３５】
第２ストッパ部材３０は、図１３〜図１５に示すように、本体部３０ａを有し、本体部３０ａには連結部材１４に対してスナップフィットにより取り外し可能に係合する一対の第３取付部３１，３１が形成され、第３取付部３１，３１間は、連結部材１４を弾力的に挟持できるように離間して設けられている。第３取付部３１，３１間は、その配設方向、すなわち、取付けられる連結部材１４の長手方向の両端部が開口するとともに、連結部材１４が挿入できるように、本体部３０ａと反対側が開口する開口部３２が形成されている。第３取付部３１，３１は、第２ストッパ部材３０が、第１ストッパ部材２０に対して摺動した際に、第１ストッパ部材２０と干渉しない位置に形成されている。
【００３６】
本体部３０ａには、第１ストッパ部材２０の本体部２０ａ及び腕部材２６，２６より外側に位置する覆い部３５が、本体部３０ａから開口部３２側に突出するように形成されている。覆い部３５の開口部３２側端部には、覆い部３５から内側方向に突出する第２抜け止め部３８が形成されている。
【００３７】
本体部３０ａにおける第３取付部３１の配設方向の一方側には、覆い部３５から第３取付部３１の配設方向の一方側に突出する抑制部３６が形成されている。
【００３８】
覆い部３５には、第１ストッパ部材２０の係合部２７が係合し、かつ、第１被係合部である係合溝３７が形成され、図４に示すように、第１ストッパ部材２０の係合部２７が係合溝３７に係合することにより、第２ストッパ部材３０は、第１ストッパ部材２０に対して、連結部材１４の軸芯方向における内側に位置する第１の位置で保持されるとともに、係合部２７の第１面２７ａにより、第２ストッパ部材３０が、第１の位置より第２ステー部材１１と反対側方向に摺動移動することを抑制するようになっている。
【００３９】
第２ストッパ部材３０が、第１ストッパ部材２０に対して、第１の位置に保持されている状態においては、図４に示すように、第１抜け止め部２９と第２抜け止め部３８は係合していない。
【００４０】
図４に示す第１の位置から、第２ストッパ部材３０を、第２ステー部材１１方向に摺動移動させると、第２ストッパ部材３０の覆い部３５の内面と第１ストッパ部材２０における係合部２７の第２面２７ｂにより、腕部材２６の先部が軸芯側に変形し、第１ストッパ部材２０の係合部２７と係合溝３７との係合が解除される。そして、第１の位置から、図６，図７に示すように、第１の位置よりも連結部材１４の軸芯方向の外側方向に移動させ、係合部２７の第１面２７ａが、第２被係合部で、かつ、覆い部３５における抑制部３６と反対側面３５ａに係合して第２ストッパ部材３０は、第１ストッパ部材２０に対して第２の位置で保持（ロック）される。
【００４１】
図４、図５に示すように、脚部材２を天板３に対して起立させるとともに、第１ロック部１５でその起立状態をロックした状態において、手動により、第２ストッパ部材３０を、第１ストッパ部材２０に対して、第１の位置から、図６，図７に示すように、第２の位置に移動させると、第１ステー部材１０及び第２ステー部材１１は、第１ストッパ部材２０の第２取付部２３と第２ストッパ部材３０の抑制部３６で挟持され、脚部材２の起立状態は２重にロックされるとともに、第２ステー部材１１は、第１ステー部材１０に対して回動が抑制され、第１ロック部によるロックを解除されることを抑制するようになる。
【００４２】
第２ストッパ部材３０が、第１ストッパ部材２０に対して第２の位置に保持されている状態においては、図６に示すように、第１抜け止め部２９と第２抜け止め部３８は係合するとともに、第１ステー部材１０の第１抜け止め部２９が、第２ストッパ部材３０の第２抜け止め部３８と本体部３０ａとの間に位置することにより、所定以下の力では、第２ストッパ部材３０と第１ストッパ部材２０が連結部材１４から脱落しにくくなっている。
【００４３】
また、図５、図６に示す状態から、手動により、第１ストッパ部材２０の腕部材２６の先部を内側方向に押すことより、係合部２７の第１面２７ａが、覆い部３５における抑制部３６と反対側面３５ａとの係合を解除し、第２ストッパ部材３０を第１の位置方向へ移動させることができる。
【００４４】
第１ストッパ部材２０と第２ストッパ部材３０でロック部材４０を構成する。
【００４５】
次に、テーブル１の脚部材２の起倒作業について説明する。
【００４６】
図１に示すように、脚部材２，２を天板３に対して倒伏させた状態においては、第２ストッパ部材３０は第１の位置に保持されるようになっている。
【００４７】
次に、図１に示すテーブル１の状態から、脚部材２を図１の上方に起立させるように持ち上げるとともに、第１ステー部材１０と第２ステー部材１１を一直線状とさせて、脚部材２の起立状態が、第１ロック部１５によりロックされるようにする。
【００４８】
次に、第２ストッパ部材３０を、図４，図５に示す第１の位置から、図５，図６の第２の位置となるように摺動させ、第１ステー部材１０及び第２ステー部材１１を、第１ストッパ部材２０の第２取付部２３と第２ストッパ部材３０の抑制部３６で挟持する。
【００４９】
これにより、第２ステー部材１１は、第１ステー部材１０に対して回動できないようになり、すなわち、第１ロック部１５のロック状態を解除して脚部材２を倒伏方向に回動することが抑制され、脚部材２の起立状態が２重にロックされた状態となる。
【００５０】
また、第２ストッパ部材３０を、第１の位置から第２の位置に移動させるためには、第１ステー部材１０と第２ステー部材１１が一直線状となっていない状態では、第２ステー部材１１と第２ストッパ部材３０が干渉するため、移動させることができず、第１ロック部１５により脚部材２を起立状態でロックされた状態とする必要があり、テーブル１の脚部材２を確実に起立させた状態で使用することとなり、安全にテーブル１を使用することができる。
【００５１】
なお、この状態で、所定以上の力により脚部材２を天板３に対して倒伏しようとすると、第１ストッパ部材２０若しくは第２ストッパ部材３０が先に破損、若しくは、脱落することから、テーブル１が破損することを抑制できる。
【００５２】
更に、第２ストッパ部材３０を、第２の位置から第１の位置に移動させることにより、第１ロック部１５のロック状態を解除させて、脚部材２を天板３に対して倒伏できる。
【００５３】
なお、上記実施例においては、第１ストッパ部材２０の係合部２７が、第１被係合部である係合溝３７と係合して、第２ストッパ部材３０は、第１ストッパ部材２０に対して、第１の位置で保持され、第１ストッパ部材２０の係合部２７が、第２被係合部を構成する覆い部３５における抑制部３６と反対側面３５ａに係合して、第２ストッパ部材３０は、第１ストッパ部材２０に対して、第２の位置で保持されるようにしたが、係合部２７に係合して、第２ストッパ部材３０を第１ストッパ部材２０に対して所定の位置で解除可能に保持できれば、第１被係合部と第２被係合部の形状や構造は任意に構成することができる。
【００５４】
［実施例２］
本実施例２のテーブル４１は、上記実施例１と同様の天板３と支持金具５と回転軸７を有し、一対の脚部材４２，４２が、回転軸７の軸芯を中心として天板３に対して倒伏可能に設けられている。
【００５５】
各脚部材４２は、上記実施例１と同様の脚柱８，８と連結桟９を有する。
【００５６】
各脚部材２の両側部には、夫々、支持金具５に対して、脚保持部材４５の一端部が、回転軸７と平行に設けた回転軸４５ａを中心として回動可能に設けられている。板状の脚保持部材４５には直線状の案内溝４７が形成され、案内溝４７には、脚柱８の内側で、かつ、回転軸７と平行に設けた係合ピン４６が挿通されている。案内溝４７の他端部側には、案内溝４７より天板３側に位置する係合部４７ａが形成されている。
【００５７】
天板３の短手方向に設けた脚保持部材４５，４５の他端部間には、上記実施例１の連結部材１４と同様の構造を有する連結部材４４が架設されている。
【００５８】
脚部材４２を天板３に対して倒伏させると、係合ピン４６が案内溝４７内を移動する。また、脚部材４２を起立させた後に、係合ピン４６が係合部４７ａ内に位置することにより、脚部材４２の起立状態をロックさせることができるようになっている。係合ピン４６と案内溝４７と係合部４７ａにより第１ロック部４９を構成する。
【００５９】
連結部材４４には、樹脂で形成された第１ストッパ部材５０が取り外し可能に固設されている。
【００６０】
第１ストッパ部材５０は、本体部５０ａを有し、本体部５０ａには上記実施例１と同様の第１取付部２１，２１、開口部２２、腕部材２６，２６、係合部２７，２７、第１抜け止め部２９が形成されている。本体部５０ａにおける第１取付部２１の配設方向の一方側には、脚保持部材４５に対し取外し可能に取り付ける第２取付部５３が設けられている。第２取付部５３には、第１取付部２１，２１間の開口部２２と同じ側に開口する開口部５４が形成されている。
【００６１】
連結部材４４には、樹脂で形成された第２ストッパ部材６０が、その長手方向に摺動可能で、かつ、取り外し可能に設けられている。
【００６２】
第２ストッパ部材６０は、第１ストッパ部材５０の第１取付部２１，２１による連結部材４４に対する取付方向と反対側から、連結部材４４に対して取付けるようになっている。すなわち、連結部材４４を、第１ストッパ部材５０と第２ストッパ部材６０により挟持するようになっている。
【００６３】
第２ストッパ部材６０は、本体部６０ａを有し、本体部６０ａには上記実施例１と同様の第３取付部３１，３１、開口部３２、覆い部３５，３５、係合溝３７、第２抜け止め部３８，３８が形成されている。
【００６４】
本体部６０ａが取付けられる脚保持部材４５側には、覆い部３５から脚保持部材４５側に突出する棒状の抑制部６６が設けられている。
【００６５】
第１ストッパ部材５０と第２ストッパ部材６０でロック部材７０を構成する。
【００６６】
次に、テーブル４１の脚部材４２の起倒作業について説明する。
【００６７】
上記実施例１と同様に、図１６，図１８，図１９に示すように  脚部材４２，４２を天板３に対して倒伏させた状態においては、第２ストッパ部材６０は第１の位置に保持されるようになっている。
【００６８】
脚部材４２，４２を天板３に対して倒伏させた状態から、図２０、図２１に示すように、脚部材４２を起立させた後に、係合部４７ａ内に係合ピン４６を位置させて、脚部材４２の起立状態をロックする。
【００６９】
次に、第２ストッパ部材６０を、第１ストッパ部材５０に対して、第１の位置から、図２２，図２３に示すように、第１の位置よりも連結部材４４の軸方向外側に位置する第２の位置に移動させると、抑制部６６が案内溝４７内に挿通される。これにより、係合ピン４６が係合部４７ａ内から移動することを抑制され、脚部材４２の起立状態をロックした状態を解除することが抑制され、脚部材４２の起立状態が２重にロックされた状態となる。
【００７０】
上記操作手順と逆の手順を行うことにより、脚部材４２，４２を天板３に対して、起立状態から倒伏状態にすることができるようになっている。
【００７１】
上記以外の構成は、上記実施例１と同様であるため、上記実施例１と同様の符号を付してその説明を省略する。
【００７２】
本実施例２においても、上記実施例１と同様の作用、効果を奏する。
【００７３】
［実施例３］
上記実施例１、２においては、第１ストッパ部材２０，５０と第２ストッパ部材３０，６０を有するテーブル１，４１で構成したが、第１ロック部１５，４９を有する既存のテーブルであれば、第１ストッパ部材２０，５０と第２ストッパ部材３０，６０で構成されたロック部材４０，７０のみを購入して、既存のテーブル取付けることで、上記実施例１，２と同様に、脚部材２，４２の起立状態を２重にロックすることができる。
【００７４】
上記以外の構成は、上記実施例１、２と同様であるため、上記実施例１と同様の符号を付してその説明を省略する。
【００７５】
本実施例３においても、上記実施例１、２と同様の作用、効果を奏する。
【符号の説明】
【００７６】
１，４１  テーブル
２，４２  脚部材
３  天板
７  回転軸
８  脚柱
１０  第１ステー部材
１１  第２ステー部材
１４，４４  連結部材
１５，４９  第１ロック部
２０，５０  第１ストッパ部材
２９  第１抜け止め部
３０，６０  第２ストッパ部材
３５ａ  覆い部における抑制部と反対側面（第２被係合部）
３７  係合溝（第１被係合部）
３８  第２抜け止め部
４０，７０  ロック部材
４５  脚保持部材
４６  係合ピン
４７  案内溝
４７ａ  係合部
【図１】
2020137904.tif 000003
【図２】
2020137904.tif 000004
【図３】
2020137904.tif 000005
【図４】
2020137904.tif 000006
【図５】
2020137904.tif 000007
【図６】
2020137904.tif 000008
【図７】
2020137904.tif 000009
【図８】
2020137904.tif 000010
【図９】
2020137904.tif 000011
【図１０】
2020137904.tif 000012
【図１１】
2020137904.tif 000013
【図１２】
2020137904.tif 000014
【図１３】
2020137904.tif 000015
【図１４】
2020137904.tif 000016
【図１５】
2020137904.tif 000017
【図１６】
2020137904.tif 000018
【図１７】
2020137904.tif 000019
【図１８】
2020137904.tif 000020
【図１９】
2020137904.tif 000021
【図２０】
2020137904.tif 000022
【図２１】
2020137904.tif 000023
【図２２】
2020137904.tif 000024
【図２３】
2020137904.tif 000025
【図２４】
2020137904.tif 000026
【図２５】
2020137904.tif 000027
【図２６】
2020137904.tif 000028
【図２７】
2020137904.tif 000029
【図２８】
2020137904.tif 000030
【図２９】
2020137904.tif 000031